(57)【要約】【課題】送風機室から飛散してくる雨水が仕切板の孔から侵入することを防止した空気調和装置の室外ユニットを提供する。【解決手段】室外ユニット２では、ケーシング２０の内部空間が、仕切板２８によって、電装品箱５５が配置される機械室２０ａと、室外ファン４が配置される送風機室２０ｂとに分割されている。電装品箱５５は、電装品箱取付板５６によって仕切板２８に取り付けられている。電装品箱取付板５６は、仕切板２８へ引っ掛けられる取付爪５６ａを有しており、仕切板２８は、取付爪５６ａが挿入される爪挿入孔２８ａを有している。電装品箱取付板５６には、爪挿入孔２８ａと取付爪５６ａとの隙間を覆う孔閉鎖部５６ｂが、取付爪５６ａと共に一体成形されている。【選択図】図５
2009210155.tif 000002
【特許請求の範囲】
【請求項１】
蒸気圧縮式冷凍回路の一部を成す熱交換器（５２）と、
前記熱交換器（５２）に外気を当てる送風機（４）と、
少なくとも前記送風機（４）の制御を行う制御部を内蔵する電装品箱（５５，１５５，２５５）と、
前記熱交換器（５２）、前記送風機（４）及び前記電装品箱（５５，１５５，２５５）を収納するケーシング（２０）と、
前記ケーシング（２０）の内部空間を、前記電装品箱（５５，１５５，２５５）が配置される第１空間（２０ａ）と前記熱交換器（５２）及び前記送風機（４）が配置される第２空間（２０ｂ）とに分割する仕切板（２８）と、
前記電装品箱（５５，１５５，２５５）を前記仕切板（２８）に取り付ける電装品箱取付板（５６，１５６，２５６）と、
を備え、
前記電装品箱取付板（５６，１５６，２５６）は、前記仕切板（２８）へ引っ掛けられる取付爪（５６ａ，１５６ａ，２５６ａ）を有し、
前記仕切板（２８）は、前記取付爪（５６ａ，１５６ａ，２５６ａ）が挿入される爪挿入孔（２８ａ）を有し、
前記電装品箱（５５，１５５，２５５）及び前記電装品箱取付板（５６，１５６，２５６）の少なくともいずれか一方に、前記爪挿入孔（２８ａ）と前記取付爪（５６ａ，１５６ａ，２５６ａ）との隙間を覆う孔閉鎖部（５６ｂ，１５５ａ，２５５ａ，２５６ｃ）が設けられている、
空気調和装置の室外ユニット（２）。
【請求項２】
前記孔閉鎖部（５６ｂ，２５６ｃ）が、前記取付爪（５６ａ，２５６ａ）と共に、前記電装品箱取付板（５６，２５６）に一体成形されている、
請求項１に記載の空気調和装置の室外ユニット（２）。
【請求項３】
前記孔閉鎖部（１５５ａ，２５５ａ）が、前記電装品箱（１５５，２５５）に一体成形されている、
請求項１に記載の空気調和装置の室外ユニット（２）。
【請求項４】
前記電装品箱（２５５）が樹脂部材であり、
前記電装品箱取付板（２５６）が板金部材であって、
前記取付爪（２５６ａ）は、前記電装品箱取付板（２５６）に切り起し加工によって成形されており、
前記孔閉鎖部（２５５ａ，２５６ｃ）は、
前記取付爪（２５６ａ）が切り起し加工されるときに形成される切り起し孔（２５６ｂ）を囲む板金面と、
前記切り起し孔（２５６ｂ）を覆う前記電装品箱（２５５）の樹脂面と、
を含む、
請求項１に記載の空気調和装置の室外ユニット（２）。
【発明の詳細な説明】
【技術分野】
【０００１】
本発明は、空気調和装置の室外ユニット、特に、室外ユニットのケーシング内に配置される電装品箱を備えた空気調和装置の室外ユニットに関する。
【背景技術】
【０００２】
空気調和装置の室外ユニットは、蒸気圧縮式冷凍回路の一部を収納するケーシングを備えている。ケーシングの内部は、仕切板によって送風機室と機械室とに分割されており、その機械室側に、電装品箱が収納されている（例えば、特許文献１参照）。電装品箱は、板金部材を介して仕切板に装着されており、その板金部材には、仕切板に予め設けられた孔に引っ掛かる爪が設けられている。
【０００３】
室外ユニットは、一般には屋外に設置されているので、当然、風雨の中で稼動することがあり、このような場合には、送風機室から飛散する雨水が、仕切板の孔を通過して、電装品箱に侵入する可能性があった。
【特許文献１】特開２００７−２０５６２７号公報
【発明の開示】
【発明が解決しようとする課題】
【０００４】
本発明の課題は、送風機室から飛散してくる雨水が仕切板の孔から侵入することを防止した空気調和装置の室外ユニットを提供することにある。
【課題を解決するための手段】
【０００５】
第１発明に係る空気調和装置の室外ユニットは、蒸気圧縮式冷凍回路の一部を成す熱交換器と、熱交換器に外気を当てる送風機と、電装品箱と、ケーシングと、仕切板と、電装品箱取付板とを備えている。電装品箱は、少なくとも送風機の制御を行う制御部を内蔵している。ケーシングは、熱交換器、送風機及び電装品箱を収納している。仕切板は、ケーシングの内部空間を、電装品箱が配置される第１空間と、熱交換器及び送風機が配置される第２空間とに分割する。電装品箱取付板は、電装品箱を仕切板に取り付ける。また、電装品箱取付板は、仕切板へ引っ掛けられる取付爪を有し、仕切板は、取付爪が挿入される爪挿入孔を有している。電装品箱及び電装品箱取付板の少なくともいずれか一方に、爪挿入孔と取付爪との隙間を覆う孔閉鎖部が設けられている。
【０００６】
従来、風雨時に送風機の回転によって飛散した雨水が仕切板の爪挿入孔から侵入して、電装品箱内部へ到達する可能性があったが、この室外ユニットでは、孔閉鎖部が設けられることによって、雨水の侵入が阻止される。その結果、雨水が電装品箱内部へ到達することもなく、電気部品の損傷が防止される。
【０００７】
第２発明に係る空気調和装置の室外ユニットは、第１発明に係る空気調和装置の室外ユニットであって、孔閉鎖部が、取付爪と共に、電装品箱取付板に一体成形されている。
【０００８】
この室外ユニットでは、孔閉鎖部を個別に設ける必要がないので、部品点数が増加せず、コスト増が抑制される。さらに、取付爪が爪挿入孔に挿入されると同時に爪挿入孔が塞がれるので、組立の作業性がよい。
【０００９】
第３発明に係る空気調和装置の室外ユニットは、第１発明に係る空気調和装置の室外ユニットであって、孔閉鎖部が、電装品箱に一体成形されている。
【００１０】
この室外ユニットでは、孔閉鎖部を個別に設ける必要がないので、部品点数が増加せず、コスト増が抑制される。
【００１１】
第４発明に係る空気調和装置の室外ユニットは、第１発明に係る空気調和装置の室外ユニットであって、電装品箱が樹脂部材であり、電装品箱取付板が板金部材である。取付爪は、電装品箱取付板に切り起し加工によって成形されている。孔閉鎖部は、取付爪が切り起し加工されるときに形成される切り起し孔を囲む板金面と、切り起し孔を覆う電装品箱の樹脂面とを含んでいる。
【００１２】
この室外ユニットでは、取付爪が爪挿入孔に挿入されたとき、切り起し孔と板金面とが爪挿入孔に対面して、板金面が爪挿入孔の一部を覆い、板金面が覆うことができない部分は樹脂面によって覆われる。その結果、板金面と樹脂面とが孔閉鎖部を兼ねるようになるので、孔閉鎖部の形状が簡単で、加工費増が抑制される。
【発明の効果】
【００１３】
第１発明に係る空気調和装置の室外ユニットでは、孔閉鎖部が設けられることによって、雨水の侵入が阻止される。その結果、雨水が電装品箱内部へ到達することもなく、電気部品の損傷が防止される。
【００１４】
第２発明に係る空気調和装置の室外ユニットでは、孔閉鎖部を個別に設ける必要がないので、部品点数が増加せず、コスト増が抑制される。さらに、取付爪が爪挿入孔に挿入されると同時に爪挿入孔が塞がれるので、組立の作業性がよい。
【００１５】
第３発明に係る空気調和装置の室外ユニットでは、孔閉鎖部を個別に設ける必要がないので、部品点数が増加せず、コスト増が抑制される。
【００１６】
第４発明に係る空気調和装置の室外ユニットでは、取付爪が爪挿入孔に挿入されたとき、切り起し孔と板金面とが爪挿入孔に対面して、板金面が爪挿入孔の一部を覆い、板金面が覆うことができない部分は樹脂面によって覆われる。その結果、板金面と樹脂面とが孔閉鎖部を兼ねるようになるので、孔閉鎖部の形状が簡単で、加工費増が抑制される。
【発明を実施するための最良の形態】
【００１７】
以下図面を参照しながら、本発明の実施形態について説明する。なお、以下の実施形態は、本発明の具体例であって、本発明の技術的範囲を限定するものではない。
【００１８】
＜室外ユニット２の構成＞
図１は、本発明の一実施形態に係る室外ユニットの平面図であり、天板を取り除いて内部を平面的に図示している。図１において、室外ユニット２では、略直方体形状のケーシング２０の内部が、鉛直に延びる仕切板２８によって機械室２０ａと送風機室２０ｂとに分割されている。室外ユニット２は、屋内に配置される室内ユニット（図示せず）に冷媒連絡配管（図示せず）を介して接続される。
【００１９】
室外ユニット２は、上記ケーシング２０以外に、室外ファン４、圧縮機５１、室外熱交換器５２、液側閉鎖弁６１、ガス側閉鎖弁６２、及び配管等の蒸気圧縮式冷凍回路の構成に必要な部材を備えている。室外ユニット２では、室外ファン４が稼動しているとき、空気は図１のＢ及びＣの方向から吸い込まれ、室外熱交換器５２と熱交換した後、Ａの方向へ吹き出される。
【００２０】
（室外ファン４）
室外ファン４は、複数の翼を有するプロペラファンであり、送風機室２０ｂ内の室外熱交換器５２の前側で、吹出口２３ａに対向するように配置されている。室外ファン４は、室外ファン用電動機４ａによって回転駆動される。
【００２１】
（ケーシング２０）
図２は、本実施形態に係る室外ユニットの正面図であり、図３は、本実施形態に係る室外ユニットの右側面図であり、図４は、本実施形態に係る室外ユニットの背面図である。図１、図２において、ケーシング２０は、略直方体形状をしており、その６面は、底板２１、第１前板２３、第２前板２４、右側板２５、吸込グリル２６及び天板２９（図２参照）によって形成されている。
【００２２】
底板２１は、ケーシング２０の底面部分を構成する略長方形状の金属製板状部材であり、底板２１の周縁部は上向きに折り曲げられている。底板２１の下面には、据付場所の基礎台９９に固定される２つの基礎脚９８が設けられている。基礎脚９８は、ケーシング２０の前側から後側に向かって延びる金属製の板状部材である。
【００２３】
第１前板２３は、空気の吹出口２３ａ側を正面としたとき、仕切板２８の前端より左側の前面及び左側面を形成する。第１前板２３には、Ｃの方向からの空気を吸い込む吸入口が形成されている。また、第１前板２３には、Ｂ及びＣの方向から吸い込まれた空気を外部に吹き出すための吹出口２３ａが設けられている。
【００２４】
第２前板２４は、仕切板２８の前端より右側の前面及び右側面の一部を形成する。図２、図３に示すように、第２前板２４の下部には、前面下部カバー３９が取り付けられている。前面下部カバー３９は、第２前板２４の下端の切り欠き２４１を閉じるための部材であり、孔３９ａを有している。孔３９ａは、切り欠き２４１の端面から図２の正面方向へ突出する爪２４４と嵌合する。
【００２５】
第２前板２４の前面下端の切り欠かれなかった領域（非切り欠き部）は、底板２１の周縁部の上向きに折り曲げられている領域に、ネジ９０によって締結されている。このとき、第２前板２４の前面下端が、底板２１の周縁部の外側となるように締結される。また、図３に示すように、前面下部カバー３９は、ネジ９０によって、第２前板２４の右側面下部および底板２１の周縁部に固定される。
【００２６】
右側板２５は、第２前板２４に隣接してケーシング２０の右側面の残りと背面の一部を形成する。図３、図４に示すように、右側板２５の下部には、背面下部カバー４０が取り付けられており、この背面下部カバー４０は、右側板２５の下端にある開口２５１を閉じるための部材である。
【００２７】
開口２５１には、液冷媒連絡配管１８、ガス冷媒連絡配管１９及び電線が挿入されるので、背面下部カバー４０は、液冷媒連絡配管１８、ガス冷媒連絡配管１９及び電線を貫通させた状態で開口２５１を閉じる。なお、室外ユニット２の据付条件によって、背面下部カバー４０は、液冷媒連絡配管１８及びガス冷媒連絡配管１９だけを貫通させた状態のときや、或は電線だけを貫通させた状態のときもある。
【００２８】
背面下部カバー４０は、ネジ９０によって、右側板２５の右側面下部および底板２１の周縁部に固定される。この背面下部カバー４０については、説明の便宜上、右側板２５の右側面下部および底板２１の周縁部に固定される領域をカバー固定部４１とし、固定されない領域の自由端をカバー自由端部４２とする。カバー自由端部４２は、右側板２５の背面側下部の内側に入り込んでいる。
【００２９】
吸込グリル２６は、右側板２５に隣接して残りの背面を形成しており、室外ファン４によってケーシング２０内に吸入される空気の吸入口２６ｃが形成されている。
【００３０】
図１において、仕切板２８は、送風機室２０ｂ側に突出するように屈曲した形状を有しており、ケーシング２０の内部を左右２つの空間に仕切るように配置されている。仕切板２８の前面側端部は第１前板２３の右端部にネジ等によって締結され、仕切板２８の背面側端部は、管板５９の前面側端部にネジ等によって締結されている。
【００３１】
なお、管板５９とは、ケーシング２０の左側面から背面に沿うように配置された略Ｌ字形状の部材であり、室外熱交換器５２の右端面に対向するように設けられており、その下部が底板２１にネジ等により固定されている。
【００３２】
天板２９は、室外ユニット２の天面部分を構成する横長の略長方形状の金属製の板状部材であり、天板２９の周縁部は下向きに折り曲げられている。本実施形態では、天板２９の周縁部の下向きに切り曲げられた領域の内側へ、第２前板２４の上端が入ることによって、第２前板２４は天板２９に保持されており、ネジ等の締結は行われていない。したがって、第２前板２４の下端と底板２１の周縁部とのネジ締結を解消することによって、第２前板２４は、下方へ降下してケーシング２０から取り外される。第２前板２４が取り外されたとき、機械室２０ａの内部が見えるようになっているので、第２前板２４は、機械室２０ａ内に収容された部品のメンテナンス作業を行う際に取り外される。
【００３３】
（閉鎖弁取付板３０）
図１に示すように、閉鎖弁取付板３０は、第１前板２３の右端部と、右側板２５の前端部との間に掛け渡されるように、機械室２０ａに設けられた細長い板状の部材であり、第１領域３０ａと、第２領域３０ｂと、固定部３１とを有する金属製の部材である。なお、閉鎖弁取付板３０は、機械室２０ａ内において、圧縮機５１の上端付近の高さ位置に配置されている。
【００３４】
第１領域３０ａは、閉鎖弁取付板３０が機械室２０ａ内に配置された状態において、第１前板２３の右端部から第２前板２４の右側面部分に向かって第２前板２４の前面部分とほぼ平行に延び、続いて、第２前板２４の前面部分から遠ざかる方向に傾斜しながら延び、続いて、第２前板２４の右側面部分に向かって第２前板２４の前面部分とほぼ平行に延びる部分である。なお、第１領域３０ａは、長手方向左端に、仕切板２８の前端部とともに第１前板２３の右端部に保持される支持部３３を有している。
【００３５】
第２領域３０ｂは、閉鎖弁取付板３０が機械室２０ａ内に配置された状態において、第１領域３０ａの長手方向右端から右側板２５の前端部に向かって第２前板２４の前面部分から遠ざかる方向に傾斜しながら延びる部分である。第２領域３０ｂは、液側閉鎖弁６１及びガス側閉鎖弁６２が装着される部分であり、液側閉鎖弁６１及びガス側閉鎖弁６２を長手方向に並べて装着することが可能である。閉鎖弁取付板３０が機械室２０ａ内に配置された状態において、第２前板２４の右側面部分側にガス側閉鎖弁６２が装着され、ガス側閉鎖弁６２の左側に液側閉鎖弁６１が装着される。
【００３６】
（圧縮機５１）
図１において、圧縮機５１は、圧縮機用電動機をハウジング内に内蔵する密閉型圧縮機であり、機械室２０ａに配置されている。圧縮機５１は、ケーシング２０の全高の１／３〜１／２程度の高さの縦型円筒形状を有し、その下部が底板２１に固定されている。また、圧縮機５１は、ケーシング２０の平面視において、機械室２０ａの前後方向中央付近に、かつ、機械室２０ａの仕切板２８付近に配置されている。
【００３７】
（室外熱交換器５２）
室外熱交換器５２は、送風機室２０ｂ内に配置されており、室外ファン４によってケーシング２０内に吸い込まれた空気との間で熱交換を行う。室外熱交換器５２は、図１の平面視において略Ｌ字形状を有し、ケーシング２０の左側面から背面に沿うように配置されている。
【００３８】
（電装品箱５５）
電装品箱５５は、電気絶縁性に優れた樹脂で成形された筐体であって、室内ユニット（図示ぜず）と通信して室外ファン用電動機４ａ及び圧縮機５１などを制御する制御部を内蔵している。電装品箱５５は、仕切板２８に装着される。
【００３９】
（電装品箱取付板５６）
電装品箱取付板５６は、電装品箱５５を仕切板２８に装着する板金部材であり、仕切板２８に引っ掛かる取付爪５６ａを有している。取付爪５６ａは、仕切板２８に予め設けられている爪挿入孔２８ａに挿入されることによって、仕切板２８に引っ掛かる。
【００４０】
図５は、電装品取付板側から視たケーシング内部の部分斜視図である。図５において、電装品箱取付板５６は、仕切板２８の爪挿入孔２８ａと対向する位置に、爪挿入孔２８ａを完全に覆うことができる大きさの孔閉鎖部５６ｂを有しており、さらにこの孔閉鎖部５６ｂに、爪挿入孔２８ａへ挿入される取付爪５６ａが形成されている。
【００４１】
図６は、図５のＥ−Ｅ線における孔閉鎖部の断面図である。図６において、孔閉鎖部５６ｂは、電装品箱取付板５６の端部を反対方向に折り返すことによって形成され、その折り返した部分の端部の一部分を約９０°切り起こすことによって、取付爪５６ａが形成される。つまり、取付爪５６ａと孔閉鎖部５６ｂは、電装品箱取付板５６と一体成形されている。
【００４２】
取付爪５６ａが爪挿入孔２８ａに挿入されたとき、孔閉鎖部５６ｂが、爪挿入孔２８ａを閉じる。その結果、風雨時、室外ファン４の回転によって送風機室２０ｂから飛散してくる雨水は、爪挿入孔２８ａから機械室２０ａへ侵入することができず、電装品箱５５内部へ雨水が到達することが防止される。
【００４３】
＜第１変形例＞
上記実施形態では、孔閉鎖部５６ｂは電装品箱取付板５６に形成されているが、それに限定されるものではなく、電装品箱に形成されてもよい。図７は、第１変形例に係る室外ユニットの孔閉鎖部の断面図である。図７において、電装品箱１５５には、電装品箱取付板１５６の取付爪１５６ａ及び仕切板２８の爪挿入孔２８ａを覆う孔閉鎖部１５５ａが一体成形されている。電装品箱１５５は樹脂部材であるので、取付爪１５６ａの曲げ部に沿うように孔閉鎖部１５５ａに段差を設けて成形することも可能である。つまり、電装品箱１５５側に孔閉鎖部１５５ａを設けるメリットは、複雑な形状にも対応できることである。
【００４４】
＜第２変形例＞
孔閉鎖部は、電装品箱および電装品箱取付板の双方に形成されてもよい。図８は、第２変形例に係る室外ユニットの孔閉鎖部の断面図である。図８において、電装品箱取付板２５６の端面から内側へ離れた位置に、取付爪２５６ａが切り起し加工によって成形されている。取付爪２５６ａが切り起されて生じる、切り起し孔２５６ｂは、周囲が板金面で囲まれているので、取付爪２５６ａが、仕切板２８の爪挿入孔２８ａに挿入されたとき、その板金面が爪挿入孔２８ａの一部を覆う。つまり、切り起し孔２５６ｂを囲む板金面が孔閉鎖部２５６ｃを形成している。
【００４５】
そして、切り起し孔２５６ｂと爪挿入孔２８ａとが重なる領域に対しては、電装品箱取付板２５６に対面する電装品箱２５５の樹脂面を拡張することによって、切り起し孔２５６ｂが覆われる。つまり、切り起し孔２５６ｂを覆う樹脂面が孔閉鎖部２５５ａを形成している。この様に、電装品箱２５５及び電装品箱取付板２５６の双方に、孔閉鎖部２５５ａ，２５６ｃを形成して、個別では閉鎖できない部分を補完することによって、孔閉鎖部２５５ａ，２５６ｃの形状を簡単にすることが可能となる。
【００４６】
＜特徴＞
室外ユニット２では、ケーシング２０の内部空間が、仕切板２８によって、電装品箱５５が配置される機械室２０ａと、室外ファン４が配置される送風機室２０ｂとに分割されている。電装品箱５５は、電装品箱取付板５６によって仕切板２８に取り付けられている。電装品箱取付板５６は、仕切板２８へ引っ掛けられる取付爪５６ａを有しており、仕切板２８は、取付爪５６ａが挿入される爪挿入孔２８ａを有している。電装品箱取付板５６には、爪挿入孔２８ａと取付爪５６ａとの隙間を覆う孔閉鎖部５６ｂが、取付爪５６ａと共に一体成形されている。その結果、孔閉鎖部５６ｂが、送風機室２０ｂから飛散して来る水滴が爪挿入孔２８ａを通過することを阻止するので、水滴が電装品箱内部へ到達することもなく、電気部品の損傷が防止される。また、孔閉鎖部５６ｂを個別に設ける必要がないので、部品点数が増加せず、コスト増が抑制される。さらに、取付爪５６ａが爪挿入孔２８ａに挿入されると同時に爪挿入孔２８ａが塞がれるので、組立の作業性がよい。
【産業上の利用可能性】
【００４７】
以上のように、本発明によれば、送風機室から飛散してくる雨水が、仕切板の爪挿入孔を通過して機械室へ侵入することが防止されるので、板などで仕切られた互いに隣接する空間を有する筐体の水滴侵入対策に有効である。
【図面の簡単な説明】
【００４８】
【図１】本発明の一実施形態に係る室外ユニットの平面図。
【図２】本実施形態に係る室外ユニットの正面図。
【図３】本実施形態に係る室外ユニットの右側面図。
【図４】本実施形態に係る室外ユニットの背面図。
【図５】電装品取付板側から視たケーシング内部の部分斜視図。
【図６】図５のＥ−Ｅ線における孔閉鎖部の断面図。
【図７】第１変形例に係る室外ユニットの孔閉鎖部の断面図。
【図８】第２変形例に係る室外ユニットの孔閉鎖部の断面図。
【符号の説明】
【００４９】
２  室外ユニット
４  室外ファン
２０  ケーシング
２０ａ  機械室（第１空間）
２０ｂ  送風機室（第２空間）
２８  仕切板
２８ａ  爪挿入孔
５２  熱交換器
５５，１５５，２５５  電装品箱
５６，１５６，２５６  電装品箱取付板
５６ａ，１５６ａ，２５６ａ  取付爪
５６ｂ，１５５ａ，２５５ａ，２５６ｃ  孔閉鎖部
２５６ｂ  切り起し孔
【図１】
2009210155.tif 000003
【図２】
2009210155.tif 000004
【図３】
2009210155.tif 000005
【図４】
2009210155.tif 000006
【図５】
2009210155.tif 000007
【図６】
2009210155.tif 000008
【図７】
2009210155.tif 000009
【図８】
2009210155.tif 000010
【手続補正書】
【提出日】平成21年2月23日(2009.2.23)
【手続補正１】
【補正対象書類名】特許請求の範囲
【補正対象項目名】請求項１
【補正方法】変更
【補正の内容】
【請求項１】
蒸気圧縮式冷凍回路の一部を成す熱交換器（５２）と、
送風機（４）と、
少なくとも前記送風機（４）の制御を行う制御部を内蔵する電装品箱（５５，１５５，２５５）と、
前記熱交換器（５２）、前記送風機（４）及び前記電装品箱（５５，１５５，２５５）を収納するケーシング（２０）と、
前記ケーシング（２０）の内部空間を、前記電装品箱（５５，１５５，２５５）が配置される第１空間（２０ａ）と前記熱交換器（５２）及び前記送風機（４）が配置される第２空間（２０ｂ）とに分割する仕切板（２８）と、
前記電装品箱（５５，１５５，２５５）を前記仕切板（２８）に取り付ける電装品箱取付板（５６，１５６，２５６）と、
を備え、
前記電装品箱取付板（５６，１５６，２５６）は、前記仕切板（２８）へ引っ掛けられる取付爪（５６ａ，１５６ａ，２５６ａ）を有し、
前記仕切板（２８）は、前記取付爪（５６ａ，１５６ａ，２５６ａ）が挿入される爪挿入孔（２８ａ）を有し、
前記電装品箱（５５，１５５，２５５）及び前記電装品箱取付板（５６，１５６，２５６）の少なくともいずれか一方に、前記爪挿入孔（２８ａ）と前記取付爪（５６ａ，１５６ａ，２５６ａ）との隙間を覆う孔閉鎖部（５６ｂ，１５５ａ，２５５ａ，２５６ｃ）が設けられている、
空気調和装置の室外ユニット（２）。
【手続補正２】
【補正対象書類名】明細書
【補正対象項目名】０００５
【補正方法】変更
【補正の内容】
【０００５】
第１発明に係る空気調和装置の室外ユニットは、蒸気圧縮式冷凍回路の一部を成す熱交換器と、送風機と、電装品箱と、ケーシングと、仕切板と、電装品箱取付板とを備えている。電装品箱は、少なくとも送風機の制御を行う制御部を内蔵している。ケーシングは、熱交換器、送風機及び電装品箱を収納している。仕切板は、ケーシングの内部空間を、電装品箱が配置される第１空間と、熱交換器及び送風機が配置される第２空間とに分割する。電装品箱取付板は、電装品箱を仕切板に取り付ける。また、電装品箱取付板は、仕切板へ引っ掛けられる取付爪を有し、仕切板は、取付爪が挿入される爪挿入孔を有している。電装品箱及び電装品箱取付板の少なくともいずれか一方に、爪挿入孔と取付爪との隙間を覆う孔閉鎖部が設けられている。